(57)【要約】【課題】電源投入時でも同期外れや不要なゴミ成分が表示されること無く、簡単な構成で正常に映像表示が可能にする。【解決手段】スコープ１０は、挿入部１１の先端にＣＣＤ固体撮像素子１２を設けたものである。プロセッサ２０は、前記ＣＣＤ固体撮像素子１２からの出力に基づいて映像信号を生成する。ＣＰＵ２２は、所定の同期信号に同期して、映像信号に応じた映像を表示するモニタ５０へ出力される映像信号に対し、電源投入時に、この映像信号の出力の有無を制御する映像信号出力制御手段となっている。また、ＣＰＵ２２は、モニタ５０に対して出力される同期信号に対し、電源投入時に、この同期信号の出力の有無を制御する同期信号出力制御手段となっている。ＳＳＧ２５は、前記同期信号出力制御手段によって出力制御される同期信号の出力の開始のタイミングを調整する出力タイミング調整手段となっている。【選択図】  図１
2004241844.tif 000002
【特許請求の範囲】
【請求項１】
撮像手段からの出力に基づいて映像信号を生成する信号処理装置であって、
所定の同期信号に同期して、映像信号に応じた映像を表示する映像表示手段へ出力される映像信号に対し、電源投入時に、この映像信号の出力の有無を制御する映像信号出力制御手段と、
映像表示手段に対して出力される同期信号に対し、電源投入時に、この同期信号の出力の有無を制御する同期信号出力制御手段と、
前記同期信号出力制御手段によって出力制御される同期信号の出力の開始のタイミングを調整する出力タイミング調整手段と、
を備えたことを特徴とする信号処理装置。
【請求項２】
前記出力タイミング調整手段は、前記同期信号に対応した所定の信号に基づいて前記同期信号の出力開始タイミングを調整することを特徴とする請求項１記載の信号処理装置。
【請求項３】
前記所定の信号は、映像表示手段の走査線の奇数／偶数フィールドを示す奇数／偶数フィールド判別信号であって、前記出力タイミング調整手段は、このフィールド判別信号が奇数フィールドに切り替わった際に同期信号の出力を開始するように制御することを特徴とする請求項２記載の信号処理装置。
【請求項４】
撮像手段を備えた内視鏡と、
所定の同期信号に同期して、前記撮像手段からの出力に応じた映像を表示する映像表示手段と、
前記映像表示手段に対して出力される映像信号に対し、電源投入時に、この映像信号の出力の有無を制御する映像信号出力制御手段と、前記映像表示手段に対して出力される同期信号に対し、電源投入時に、この同期信号の出力の有無を制御する同期信号制御手段と、前記同期信号出力制御手段によって出力制御される同期信号の出力の開始タイミングを調整する出力タイミング調整手段とを備え、前記撮像手段からの出力に基づいて映像信号を生成する信号処理装置と、
を備えたことを特徴とする内視鏡装置。
【請求項５】
前記出力タイミング調整手段は、前記同期信号に対応した所定の信号に基づいて前記同期信号の出力開始タイミングを調整することを特徴とする請求項４記載の内視鏡装置。
【請求項６】
前記所定の信号は、映像表示手段の走査線の奇数／偶数フィールドを示す奇数／偶数フィールド判別信号であって、前記出力タイミング調整手段は、このフィールド判別信号が奇数フィールドに切り替わった際に同期信号の出力を開始するよう制御することを特徴とする請求項５記載の内視鏡装置。
【発明の詳細な説明】
【０００１】
【発明の属する技術分野】
本発明は、撮像手段により撮像した画像を映像信号表示手段に表示する信号処理装置及び内視鏡装置に関する。
【０００２】
【従来の技術】
従来、医療用分野および工業用分野で内視鏡が広く用いられている。また近年では、光学式内視鏡の接眼部に撮像手段を備えたテレビカメラを装着したテレビカメラ外付け内視鏡や、先端部に撮像手段を内蔵した電子内視鏡により、撮像した医療画像をモニタに表示する電子内視鏡撮像装置も普及しつつある。
【０００３】
例えば、モニタと組み合わされた医療用分野において検査開始時に電子内視鏡装置に電源を投入することで、速やかに体腔内の内視鏡画像がモニタを通して観察が可能となり、検査しながらにして病変部位等の早期発見、処置へと展開が図れるようになっている。
【０００４】
ところで、内視鏡画像を表示するモニタは、ＮＴＳＣやＰＡＬに代表されるテレビジョン方式のものがある。これらはインターレース方式で５２５本もしくは６２５本の走査線によって映像を表示させるものである。
【０００５】
図８このような従来の内視鏡画像を表示するモニタに供給される信号を示すタイミングチャートであり、図８（ａ）は奇数フィールドと偶数フィールドを判別する奇／偶数フィールド判別信号、図８（ｂ）は同期信号、図８（ｃ）は映像信号である。
【０００６】
図８（ａ）、図８（ｂ）、図８（ｃ）に示すように、モニタには、電源投入時から同期外れ期間Ｔａにおいても、奇／偶数フィールド判別信号、同期信号、映像信号が供給されている。
【０００７】
また、近年になり映像機器も急速に発展し、情報量が倍以上の高品位な映像表示が可能である走査線数１１２５本のＨＤテレビジョン方式やその他のモニタも普及しつつあり、これらのモニタへ内視鏡画像が表示されることが期待されている。電子内視鏡装置に従来のテレビジョン方式だけでなくＨＤテレビジョン方式のモニタが使用されることにより、内視鏡画像の観察に対するモニタの役割は非常に高いものになっている。
【０００８】
また、プラズマディスプレイパネル装置側で、電源投入時等の初期動作時における無意味な画像の表示を確実に防止することができるようにしているものもある（例えば、特許文献１参照）。
【０００９】
【特許文献１】
特開平１１−２８２４１７号公報（第３−５頁、図１−４）
【００１０】
【発明が解決しようとする課題】
このような現在市販されているプラズマディスプレイ装置を考慮すると、医療の分野の利用は、大きさ、消費電力、発行効率等の問題で適切ではないと考えられる。
【００１１】
また、従来の電子内視鏡装置では、電源を投入すると映像信号と同期信号が同時に出力されるような回路構成となっているため、図８に示すようにモニタ側で表示される内視鏡画像の同期がかかるまでの間、同期外れの映像が例えば横流れしたまま表示されることがあった。また、電源投入時の初期化に要する期間中、信号処理回路から出力される例えばノイズ等の不要なごみ成分も表示されるという問題点があった。
【００１２】
電源投入時の短い間とはいえ、１日に多数回の検査を行う術者にとって同期外れした映像を検査毎に見ることは、疲労の増加を促進させる要因となり得る。また、同期外れした映像が出力される、あるいは、不要なゴミ成分が出力される状態では、映像品位上、好ましいとは言えず、接続される機器に対して速やかに動作を開始できないことがあった。
【００１３】
本発明は、前記事情に鑑みてなされたものであり、電源投入時でも同期外れや不要なゴミ成分が表示されること無く、簡単な構成で正常に映像表示が可能な信号処理装置及び内視鏡装置を提供することを目的としている。
【００１４】
【課題を解決するための手段】
前記目的を達成するため請求項１記載の信号処理装置は、撮像手段からの出力に基づいて映像信号を生成する信号処理装置であって、所定の同期信号に同期して、映像信号に応じた映像を表示する映像表示手段へ出力される映像信号に対し、電源投入時に、この映像信号の出力の有無を制御する映像信号出力制御手段と、映像表示手段に対して出力される同期信号に対し、電源投入時に、この同期信号の出力の有無を制御する同期信号出力制御手段と、前記同期信号出力制御手段によって出力制御される同期信号の出力の開始のタイミングを調整する出力タイミング調整手段と、を備えたことを特徴とする。
【００１５】
請求項２記載の信号処理装置は、請求項１記載の信号処理装置であって、前記出力タイミング調整手段は、前記同期信号に対応した所定の信号に基づいて前記同期信号の出力開始タイミングを調整することを特徴とする。
【００１６】
請求項３記載の信号処理装置は、請求項２記載の信号処理装置であって、前記所定の信号は、映像表示手段の走査線の奇数／偶数フィールドを示す奇数／偶数フィールド判別信号であって、前記出力タイミング調整手段は、このフィールド判別信号が奇数フィールドに切り替わった際に同期信号の出力を開始するように制御することを特徴とする。
【００１７】
請求項４記載の内視鏡装置は、撮像手段を備えた内視鏡と、所定の同期信号に同期して、前記撮像手段からの出力に応じた映像を表示する映像表示手段と、前記映像表示手段に対して出力される映像信号に対し、電源投入時に、この映像信号の出力の有無を制御する映像信号出力制御手段と、前記映像表示手段に対して出力される同期信号に対し、電源投入時に、この同期信号の出力の有無を制御する同期信号制御手段と、前記同期信号出力制御手段によって出力制御される同期信号の出力の開始タイミングを調整する出力タイミング調整手段とを備え、前記撮像手段からの出力に基づいて映像信号を生成する信号処理装置と、を備えたことを特徴とする。
【００１８】
請求項５記載の内視鏡装置は、請求項４記載の内視鏡装置であって、前記出力タイミング調整手段は、前記同期信号に対応した所定の信号に基づいて前記同期信号の出力開始タイミングを調整することを特徴とする。
【００１９】
請求項６記載の内視鏡装置は、請求項５記載の内視鏡装置であって、  前記所定の信号は、映像表示手段の走査線の奇数／偶数フィールドを示す奇数／偶数フィールド判別信号であって、前記出力タイミング調整手段は、このフィールド判別信号が奇数フィールドに切り替わった際に同期信号の出力を開始するよう制御することを特徴とする。
【００２０】
【発明の実施の形態】
以下、本発明の実施の形態を図面を参照して説明する。
（実施の形態）
図１乃至図７は本発明の実施の形態に係り、図１は電子内視鏡装置の全体の構成を示すブロック図、図２はラッチ回路の入出力を示す説明図、図３は第１のメニュー画面を示す説明図、図４は第２のメニュー画面を示す説明図、図５は電子内視鏡装置の動作を示すタイミングチャート、図６はミュート信号発生動作を示すタイミングチャート、図７はミュート信号のラッチ動作を示すフローチャートである。
【００２１】
（構成）
図１に示すように、電子内視鏡装置１は、スコープ１０と、プロセッサ２０と、映像信号表示手段としてのモニタ５０とを含んで構成されている。
【００２２】
スコープ１０は、撮像手段を備えた内視鏡であり、挿入部１１の先端に撮像手段としてのＣＣＤ固体撮像素子１２を設けたものである。
【００２３】
プロセッサ２０は、コネクタ２１と、中央処理装置（以下、ＣＰＵと呼ぶ）２２と、駆動回路２３と、前処理回路２４と、同期信号生成手段としてのＳＳＧ（シグナル・シンク・ジェネレータ）２５と、赤（Ｒ），緑（Ｇ），青（Ｂ）の同時化メモリ２６Ｒ，２６Ｇ，２６Ｂと、セレクタ回路２７Ｒ，２７Ｇ，２７Ｂと、デジタル／アナログコンバータ（以下、Ｄ／Ａコンバータと呼ぶ）２８Ｒ，２８Ｇ，２８Ｂと、後処理回路２９Ｒ，２９Ｇ，２９Ｂ，２９Ｓとを含んで構成されている。
【００２４】
コネクタ２１は、挿入部１１の先端に設けられたＣＣＤ固体撮像素子１２に電気的に接続される。
【００２５】
ＣＰＵ２２は、制御線が各回路に接続されていて、前処理回路２４と、ＳＳＧ２５と、同時化メモリ２６Ｒ，２６Ｇ，２６Ｂと、セレクタ回路２７Ｒ，２７Ｇ，２７Ｂと、Ｄ／Ａコンバータ２８Ｒ，２８Ｇ，２８Ｂとの制御を行う。
【００２６】
ＳＳＧ２５は、ＣＰＵ２２からの制御に基づいて、駆動回路２３、前処理回路２４や同時化メモリ２６Ｒ，２６Ｇ，２６Ｂに向けて適正な信号処理が行えるようクロック（以下、ＣＬＫと呼ぶ）や内部同期信号、さらには、標準テレビジョン方式に則った外部同期信号を生成して、同時化メモリ２６Ｒ，２６Ｇ，２６Ｂ、セレクタ回路２７Ｒ，２７Ｇ，２７Ｂや後処理回路２９Ｓに供給して信号処理等を行わせている。
【００２７】
ここで本実施の形態では、標準テレビジョン方式をＮＴＳＣ方式とし、ＳＳＧ２５からは、フィールド周波数５９．９４Ｈｚ、走査線数が５２５本のインターレース方式の同期信号が出力されている。
【００２８】
駆動回路２３は、ＣＰＵ２２からの制御に基づいて、コネクタ２１を経由してスコープ１０の先端にあるＣＣＤ固体撮像素子１２を駆動して、ＣＣＤ固体撮像素子１２に撮像を行わせる。
【００２９】
ＣＣＤ固体撮像素子１２で撮像された信号は、コネクタ２１を経由して、プロセッサ２０内の前処理回路２４に入力される。
【００３０】
前処理回路２４には、以下の図示しない複数の回路が含まれており、入力された信号を、ＣＰＵ２２からの制御に基づいて、前処理を行う。
【００３１】
さらに、前処理を詳細に説明すると、前処理回路２４には、入力された信号に対してを、プリアンプ回路を経て相関二重サンプリング回路（以下、ＣＤＳ回路と呼ぶ）で相関２重サンプリング処理（以下、ＣＤＳ処理）後、Ａ／Ｄ変換しデジタル映像信号を生成する。次に、前処理回路２４は、生成したデジタル映像信号に対して、フォトカプラなどの絶縁回路を通してＯＢクランプ回路に入力してデジタルクランプ処理し、さらに、ホワイトバランス処理、自動利得制御処理（以下、ＡＧＣ処理と呼ぶ）した後に、色調調整し、γ補正回路でγ補正する。次に、前処理回路２４は、γ補正された信号を拡大縮小回路でモニタ上に表示される内視鏡画像の大きさに応じた拡大率で電子拡大・縮小処理を行い、構造強調回路により構造強調、輪郭強調の強調処理が行ってから同時化メモリ２６Ｒ，２６Ｇ，２６Ｂに供給する。
【００３２】
同時化メモリ２６Ｒ，２６Ｇ，２６Ｂは、前処理回路２４内の構造強調回路から出力されるＲ、Ｇ、Ｂの各色成分の面順次デジタル映像信号が時系列的に書き込まれ、面順次デジタル映像信号に対して同時化処理を行い出力する。
【００３３】
セレクタ回路２７Ｒ，２７Ｇ，２７Ｂは、それぞれ同時化されたＲ、Ｇ、Ｂの各色成分の面順次デジタル映像信号に対して、ＣＰＵ２２から生成された文字・マスク信号の付加、またはメニュー画面やテスト画面（カラーバーなど）との切り替えを行う。
【００３４】
ここで、前記ＯＢクランプ回路からセレクタ回路２７Ｒ，２７Ｇ，２７Ｂまでは大規模ＦＰＧＡ（フィールド・プログラマブル・ゲートアレイ）の中で構成されているため、プログラマブルに書き換えが可能である。
【００３５】
また、Ｄ／Ａコンバータ２８Ｒ，２８Ｇ，２８Ｂは、それぞれセレクタ回路２７Ｒ，２７Ｇ，２７ＢからのＲ、Ｇ、Ｂの各色成分の面順次デジタル映像信号をＤ／Ａ変換してアナログＲ、Ｇ、Ｂ信号に変換し、それぞれ後処理回路２９Ｒ，２９Ｇ，２９Ｂに供給する。
【００３６】
後処理回路２９Ｒ，２９Ｇ，２９Ｂは、内部の図示しない回路において、アナログＲ、Ｇ、Ｂ信号に対して、例えば、内視鏡形状検出装置との画像の合成処理やファイリング装置との画像の切り替えと言った外部機器からの入力画像との合成切り替え処理を行い、さらに、ゲイン調整等を行った上で７５Ωドライブ回路を通してモニタ５０や、図示しないビデオプリンタ等の外部記録機器に内視鏡画像として送る。
【００３７】
後処理回路２９Ｓは、ＳＳＧ２５からの同期信号に対して後処理を行い、後処理回路２９Ｒ，２９Ｇ，２９Ｂが出力するアナログＲ、Ｇ、Ｂ信号に対応した同期信号としてモニタ５０や、図示しない前記外部記録機器に送る。
【００３８】
なお、ＣＰＵ２２は、図示しないキーボードからの操作によって、前述の文字・マスク信号の付加、メニュー画面・テスト画面の切り替えだけでなく、前処理回路２４に含まれる前記機能を実現させ、さらには、ＳＳＧ２５やＤ／Ａコンバータ２８Ｒ，２８Ｇ，２８Ｂにも制御信号を送り、映像信号及び同期信号の出力を制御している。
【００３９】
電子内視鏡装置１は、電源が投入されると、ＳＳＧ２５からＣＬＫ、各同期信号が出力されるとともに、ＣＰＵ２２に設けられた図示しないリセットＩＣが作動してタイマーが起動される。また、ＣＰＵ２２は、このタイマーの起動と同時にＨ極性のミュート信号をそれぞれＳＳＧ２５、Ｄ／Ａコンバータ２８Ｒ，２８Ｇ，２８Ｂに送り、予め設定しておいた時間だけ、映像信号及び同期信号の出力を独立に停止（以下、ミュートと記載）させる構成となっている。
【００４０】
ＳＳＧ２５には図２に示すラッチ回路３１が設けられている。
図２に示すように、ラッチ回路３１には、モニタ走査線の奇数フィールドと偶数フィールドを判別する奇／偶数フィールド判別信号ａ１と、ＣＰＵ２２からの、同期信号をミュートするラッチ前のＳＳＧミュート信号ｂ１とが入力されている。
【００４１】
ラッチ回路３１には、奇／偶数フィールド判別信号ａ１に基づいてＳＳＧミュート信号ｂ１のラッチを行い、ラッチ後のＳＳＧミュート信号ｃ１を出力する。
【００４２】
このような構成により、前処理回路２４と、同時化メモリ２６Ｒ，２６Ｇ，２６Ｂと、セレクタ回路２７Ｒ，２７Ｇ，２７Ｂと、Ｄ／Ａコンバータ２８Ｒ，２８Ｇ，２８Ｂと、後処理回路２９Ｒ，２９Ｇ，２９Ｂ，２９Ｓは、前記撮像手段からの出力に基づいて映像信号を生成する信号処理装置になっている。
【００４３】
モニタ５０は、前記信号処理装置で生成された前記映像信号を表示する映像信号表示手段となっている。
【００４４】
ＣＰＵ２２は、所定の同期信号に同期して、映像信号に応じた映像を表示する映像表示手段へ出力される映像信号に対し、電源投入時に、この映像信号の出力の有無を制御する映像信号出力制御手段となっている。
【００４５】
また、ＣＰＵ２２は、映像表示手段に対して出力される同期信号に対し、電源投入時に、この同期信号の出力の有無を制御する同期信号出力制御手段となっている。
【００４６】
ラッチ回路３１は、前記同期信号出力制御手段によって出力制御される同期信号の出力の開始のタイミングを調整する出力タイミング調整手段となっている。
【００４７】
前記ラッチ回路３１は、前記同期信号に対応した所定の信号に基づいて前記同期信号の出力開始タイミングを調整する。
【００４８】
前記ラッチ回路３１における前記所定の信号は、映像表示手段の走査線の奇数／偶数フィールドを示すとしての奇／偶数フィールド判別信号ａ１である。
【００４９】
前記ラッチ回路３１は、この奇／偶数フィールド判別信号ａ１が奇数フィールドに切り替わった際に同期信号の出力を開始するように制御する。
【００５０】
（作用）
このような実施の形態において、ＣＰＵ２２のタイマーによるミュート時間は、図示しないキーボードから図３及び図４に示すメニュー画面５１，５２を用いてそれぞれ独立に設定が可能で、映像信号のミュート時間が同期信号のミュート時間よりも必ず長く設定されるように決められている。あるいは、同期信号のミュート時間は自由に変えられるようにし、同期信号に対する映像信号のミュート時間は固定にしても良い。
【００５１】
以下、図５のタイミングチャートを参照して電子内視鏡装置の動作を説明する。
図５（ａ）は前記ラッチ後のＳＳＧミュート信号ｃ１を示し、図５（ｂ）はＣＰＵ２２がＤ／Ａコンバータ２８Ｒ，２８Ｇ，２８Ｂに供給するラッチ後のＤ／Ａミュート信号ｄ１を示し、図５（ｃ）は奇／偶数フィールド判別信号ａ１を示し、図５（ｄ）はＳＳＧ２５が出力する同期信号ｆ１を示し、図５（ｅ）はＤ／Ａコンバータ２８Ｒ，２８Ｇ，２８Ｂが出力するアナログＲ、Ｇ、Ｂ信号としての映像信号ｇ１を示している。
【００５２】
図５（ａ）に示すＳＳＧミュート信号ｃ１は、ミュート時間（ミュート期間Ｔｂ）が経過すると、Ｈ極性からＬ極性に変化する。このＳＳＧミュート信号ｃ１がＬ極性になると、ＳＳＧ２５が同期信号｛図５（ｅ）に示す同期信号ｆ１の同期パルス｝を出力可能な状態となり、後処理回路２９Ｓ及び出力端子を介して外部に接続されているモニタ５０や図示しない前記外部記録機器へと送られる。
【００５３】
図５（ｂ）に示すＤ／Ａミュート信号ｄ１は、ミュート時間（ミュート期間Ｔｂ＋Ｔｃ）が経過すると、Ｈ極性からＬ極性に変化する。このＳＳＧミュート信号ｃ１がＬ極性になると、Ｄ／Ａコンバータ２８Ｒ，２８Ｇ，２８Ｂが映像信号｛図５（ｄ）に示す映像信号ｇ１の映像成分｝を出力可能な状態となり、後処理回路２９Ｒ，２９Ｇ，２９Ｂ及び出力端子を介してモニタ５０や図示しない前記外部記録機器へと送られる。
【００５４】
すなわち、電源投入時は、まず映像信号ｇ１及び同期信号ｆ１ともに信号出力がミュートされ、つぎに、映像信号ｇ１の出力のみミュートが維持されるが同期信号ｆ１はミュートが解除され、そして、映像信号ｇ１のミュート解除という流れにしたがって、モニタ５０に内視鏡画像が表示され、観察が始められるようになっている。
【００５５】
ここで、ＳＳＧ２５及びＤ／Ａコンバータ２８Ｒ，２８Ｇ，２８Ｂでの詳細なミュート制御について説明する。
【００５６】
ＣＰＵ２２で生成されたミュート信号は、映像信号用と同期信号用があり、一方はＤ／Ａコンバータ制御用信号（Ｄ／Ａミュート信号ｄ１）、他方はＳＳＧ制御用信号（ＳＳＧミュート信号ｃ１）となる。
【００５７】
Ｄ／Ａコンバータ制御用信号（Ｄ／Ａミュート信号ｄ１）は、Ｄ／Ａコンバータ２８Ｒ，２８Ｇ，２８Ｂから出力される映像信号ｇ１を制御するものであり、前述の通り、ここでＨ極性は映像信号ｇ１の出力をミュートさせ、Ｌ極性では出力開始となるように構成されている。電源投入時の映像信号ｇ１はミュート期間中、ＧＮＤレベルとなるようにＤ／Ａコンバータ２８Ｒ，２８Ｇ，２８Ｂで制御される。
【００５８】
ＳＳＧ制御用信号（ＳＳＧミュート信号ｃ１）は、ＳＳＧ２５から出力される同期信号ｆ１の出力を制御するものであり、前述の通り、Ｈ極性で同期信号ｆ１の出力をミュートさせ、Ｌ極性で出力開始となるように構成されている。
【００５９】
電源投入時の同期信号ｆ１はミュート期間中、ＧＮＤレベルとなるようにＳＳＧ２５内で制御される。ＳＳＧ２５では、ＮＴＳＣ方式に則った同期信号ｆ１のに加え、この同期信号ｆ１に同期して奇数／偶数フィールドを判別する図５（ｃ）に示す奇／偶数フィールド判別信号ａ１も生成されいているが、ＣＰＵ２２から入力されるミュート信号はこのフィールド判別信号でラッチされ、奇数フィールドの始まりでミュートの制御が切り替わるようになっている。
【００６０】
これにより、本実施の形態では、フィールドの途中で映像信号ｇ１のミュートが解除されて出画されることを防止することができる、即ち、ミュートが解除されると映像表示が始まるが、同期信号ｆ１に関連せず（タイミングが調整されずに）にミュートが解除された場合、映像信号ｇ１のフィールドの途中からモニタに画像が表示されることになり品質の低下を招くが、同期信号ｆ１に対応した所定の信号（本実施の形態では奇数／偶数フィールド判別信号ａ１）に基づいてミュート解除のタイミングを調整することにより、映像信号ｇ１のフィールドの途中から出画されることを防止することができる。
【００６１】
また、本実施の形態では、奇数フィールドから出画が開始されるので、１フレームの途中となる偶数フィールドから出画が開始されることを防止することができる。
【００６２】
以下、図６のタイミングチャートを参照してＳＳＧ２５内の図２に示したラッチ回路３１の動作を説明する。
【００６３】
図６（ａ）は奇数フィールドと偶数フィールドを判別する奇／偶数フィールド判別信号ａ１を示し、図６（ｂ）はラッチ前のＳＳＧミュート信号ｂ１を示し、図６（ｃ）はラッチ後のＳＳＧミュート信号ｃ１を示している。
【００６４】
ＳＳＧ２５内の図２に示したラッチ回路３１は、図６に示すようにミュート信号をラッチしている。すなわち、ラッチ回路３１は、図６（ｂ）に示すラッチ前のＳＳＧミュート信号ｂ１に対して、図６（ａ）に示す奇／偶数フィールド判別信号ａ１が偶数フィールドから奇数フィールドに切り替わるタイミングまでの期間Ｔｄにラッチを行い、図６（ｃ）に示すＳＳＧミュート信号ｃ１として出力する。
【００６５】
これにより、ＳＳＧ２５から出力される図５（ｅ）に示す同期信号ｆ１は、ミュート期間終了後、ＮＴＳＣ方式の同期信号に対して必ず奇数フィールドから出力が開始され、接続されるモニタ５０や図示しない前記外部記録機器へ送られる。
【００６６】
次に、ＣＰＵ２２によるＳＳＧ２５のミュート時間の制御を図７を参照して説明する。
【００６７】
まず、電源が投入されると、ＣＰＵ２２は、図７のステップＳ１において、リセットＩＣが作動してリセットパルスを発生してタイマーのリセットを行い、さらに、図６（ｂ）に示すＳＳＧミュート信号ｂ１を発生する。
【００６８】
このタイマーは、ＣＰＵ２２に内蔵されているタイマーを利用して時間を計るもので、リセットＩＣで発生するリセットパルスが与えられると図７のステップＳ２に示す時間計測を開始する。即ち、ＣＰＵ２２は、図７のステップＳ２において、タイマー起動計測を開始する。
【００６９】
次に、ＣＰＵ２２は、図７のステップＳ３において、タイマーの時間が設定時間に達したか否かの判別を行い、設定時間に達していなかつた場合、図７のステップＳ２の処理に戻り、設定時間に達した場合、図７のステップＳ４の処理に移行する。
【００７０】
これにより、ＣＰＵ２２のタイマーは、リセットＩＣで発生するリセットパルスが与えられると時間計測を開始し、それがミュート期間として予め設定された時間が経過すると、ＣＰＵ２２は図７のステップＳ４においてミュート信号の極性をＨ極性からＬ極性へと制御制御するようにしている。
【００７１】
ＳＳＧ制御用のＳＳＧミュート信号ｂ１は、モニタ５０や図示しない前記外部記録機器に対して、プロセッサ２０の電源投入時による不安定状態のために不正な同期信号が外部に出力されないような時間、また、プロセッサ２０とモニタ５０あるいは図示しない前記外部記録機器とを同時に電源投入した場合、プロセッサ２０の接続相手機器が初期化等の不安定時に同期信号が入力されるのを避けるのに十分な時間だけ設定する。
【００７２】
一方、Ｄ／Ａコンバータ制御用のＤ／Ａミュート信号ｄ１によるミュート期間は、モニタ５０や図示しない前記外部記録機器が同期するのに十分な時間だけ設定する。
【００７３】
（効果）
このような実施の形態によれば、電源投入時、プロセッサ２０に接続されるモニタ５０や図示しないビデオプリンタ等の外部記録機器に対して、奇数フィールド、つまり、１ライン目から始まる正常な同期信号を出力してから、正常な映像信号ｇ１を奇数フィールドの始めから出力するので、電源投入時でも同期外れや不要なゴミ成分が表示されること無く、簡単な構成で正常に映像表示が可能になり、１日に多数回の検査を行う術者の疲労を軽減し、映像品位を向上し、接続される機器に対して速やかに動作を開始できる。
【００７４】
また、本実施の形態においては、プロセッサ側で同期制御を行なうことができる為、モニタに影響されずに同期制御を行うことができる。即ち、モニタを変更した場合や種類が異なるモニタに対しても影響を受けない同期制御を行うことができる
尚、本実施の形態では、ミュート信号の制御をＨ極性でミュート、Ｌ極性でミュート解除としたが、逆の極性でもよいことは言うまでもない。なお、ＮＴＳＣ方式について述べたが、同じインターレース方式であるＰＡＬ、ＳＥＣＡＭ、ＨＤテレビジョンと言った他のテレビジョン方式でもよい。さらに、映像出力のミュート制御をＤ／Ａコンバータで行っているが、本実施の形態では、ＦＰＧＡ内に設けられたセレクタ回路２９Ｒ，２９Ｇ，２９Ｂで行ってもよい。
【００７５】
［付記］
以上詳述したような本発明の前記実施の形態によれば、以下の如き構成を得ることができる。
【００７６】
（付記項１）  撮像手段を備えた内視鏡と、
前記撮像手段からの出力に基づいて映像信号を生成する信号処理手段と、
同期信号を生成する同期信号生成手段と、
前記同期信号生成手段で生成された同期信号に同期して前記信号処理手段で生成された前記映像信号を表示する映像信号表示手段と、
電源投入時に前記映像表示手段へ出力する映像信号に対して出力の制御を行う映像信号出力制御手段と、
電源投入時に前記映像表示手段へ出力する同期信号に対して出力の制御を行う同期信号出力制御手段と、
前記同期信号出力制御手段の制御タイミングを調整する制御タイミング調整手段と、
を備えたことを特徴とする内視鏡装置。
【００７７】
（付記項２）  前記制御タイミング調整手段は、前記同期信号生成手段から出力される信号に基づいて制御タイミングを調整することを特徴とする付記項１記載の内視鏡装置。
【００７８】
（付記項３）  前記同期信号生成手段から出力される信号は、奇数／偶数フィールド判別信号であることを特徴とする付記項２記載の内視鏡装置。
【００７９】
（付記項４）  撮像手段を備えた電子内視鏡と、前記撮像手段に対する信号処理を行い映像信号を生成する信号処理手段と、同期信号を生成する同期信号生成手段と、前記同期信号生成手段で生成された同期信号に同期して前記信号処理手段で生成された前記映像信号を表示する映像表示手段を備えた電子内視鏡において、
信号処理手段に設けられ、電源投入時に前記映像表示手段へ出力する映像信号に対して出力の制御を行う映像信号出力制御手段と、
電源投入時に前記映像表示手段へ出力する同期信号に対して出力の制御を行う同期信号出力制御手段と、
前記同期信号出力制御手段の制御タイミングを調整する制御タイミング調整手段と、
を備えたことを特徴とする内視鏡装置。
【００８０】
（付記項５）  前記映像信号出力制御手段及び同期信号出力制御手段は、電源投入時に所定時間映像信号及び同期信号の出力停止を行うことを特徴とする付記項１乃至４のいずれかに記載の内視鏡装置。
【００８１】
（付記項６）  出力タイミング制御手段は同期信号出力制御手段による出力停止期間を可変とすることで同期信号の出力開始のタイミングを調整することを特徴とする付記項１乃至５のいずれかに記載の内視鏡装置。
【００８２】
【発明の効果】
以上述べた様に本発明によれば、電源投入時でも同期外れや不要なゴミ成分が表示されること無く、簡単な構成で正常に映像表示が可能になり、１日に多数回の検査を行う術者の疲労を軽減し、映像品位を向上し、接続される機器に対して速やかに動作を開始できる。
【図面の簡単な説明】
【図１】本発明の実施の形態に係る電子内視鏡装置の全体の構成を示すブロック図。
【図２】本発明の実施の形態に係るラッチ回路の入出力を示す説明図。
【図３】本発明の実施の形態に係る第１のメニュー画面を示す説明図。
【図４】本発明の実施の形態に係る第２のメニュー画面を示す説明図。
【図５】本発明の実施の形態に係る電子内視鏡装置の動作を示すタイミングチャート。
【図６】本発明の実施の形態に係るミュート信号発生動作を示すタイミングチャート。
【図７】本発明の実施の形態に係るミュート信号のラッチ動作を示すフローチャートである。
【図８】従来の内視鏡画像を表示するモニタに供給される信号を示すタイミングチャート。
【符号の説明】
１            …電子内視鏡装置
１０          …スコープ
１２          …ＣＣＤ固体撮像素子
２０          …プロセッサ
２１          …コネクタ
２２          …ＣＰＵ
２３          …駆動回路
２４          …前処理回路
２５          …ＳＳＧ
２６Ｒ，２６Ｇ，２６Ｂ          …同時化メモリ
２７Ｒ，２７Ｇ，２７Ｂ          …セレクタ回路
２８Ｒ，２８Ｇ，２８Ｂ          …Ｄ／Ａコンバータ
２９Ｒ，２９Ｇ，２９Ｂ，２９Ｓ          …後処理回路
５０          …モニタ
【図１】
2004241844.tif 000003
【図２】
2004241844.tif 000004
【図３】
2004241844.tif 000005
【図４】
2004241844.tif 000006
【図５】
2004241844.tif 000007
【図６】
2004241844.tif 000008
【図７】
2004241844.tif 000009
【図８】
2004241844.tif 000010